(57)【要約】【課題】軒樋曲り継手に軒樋を見栄え良く、簡単且つ確実に接続することができ、現場施工による作業時間を大幅に短縮できるようにする。【解決手段】平面視略Ｌ字状に屈曲した継手本体（１１）の両端に、段差部（１３）を介して軒樋（２）周壁の肉厚幅分だけ内側へ凹んだ軒樋接続部（１２）を設けるとともに、継手本体（１１）の後側壁（１１ｃ）の両端上部に軒樋（２）の耳部（２３ａ）を支持する軒耳係止部（１１ｄ）を設け、軒耳係止部（１１ｄ）と軒樋接続部（１２）の後側壁（１２ｃ）との間に、軒樋（２）周壁の肉厚幅と略等しい幅のスリット溝（１４）を形成し、軒耳係止部（１１ｄ）の端部に軒樋接続部（１２）よりも側方へ突出した案内片（１５）を設けて軒樋曲り継手（１）を構成する。【選択図】図１
2008179964.tif 000002
【特許請求の範囲】
【請求項１】
平面視略Ｌ字状に屈曲した継手本体の両端に、段差部を介して軒樋周壁の肉厚幅分だけ内側へ凹んだ軒樋接続部を設け、この軒樋接続部に軒樋端部を接続したときに継手本体の外周面と軒樋の外周面とが面一となるように構成された軒樋曲り継手において、
継手本体の後側壁両端上部に軒樋の耳部を支持する軒耳係止部を設け、この軒耳係止部と軒樋接続部の後側壁との間に、軒樋周壁の肉厚幅と略等しい幅のスリット溝を形成するとともに、軒耳係止部の端部に軒樋接続部よりも側方へ突出した案内片を設けた構成を有することを特徴とする軒樋曲り継手。
【発明の詳細な説明】
【技術分野】
【０００１】
本発明は、入隅や出隅などの家屋の軒先コーナー部で軒樋同士を接続する軒樋曲り継手に関する。
【背景技術】
【０００２】
従来の軒樋曲り継手として、例えば図４に示されるように、屋根の出隅に沿って平面視Ｌ字状に直角に折れて形成された軒樋曲り継手１００の両端内側に、軒樋１０１、１０１の端部が嵌合して接続する構成のものが知られている。この軒樋曲り継手１００では軒樋１０１、１０１との継ぎ目部分に段差ができ、軒先を見上げたときに継ぎ目部分が目立って見栄えが悪いという外観上の問題があった。
【０００３】
このような外観上の問題を解消するため、軒樋曲り継手の外側壁の端部表面に段差部を介して軒樋の周壁の肉厚幅だけ内側へ凹んだ軒樋接続部を設け、この軒樋接続部に軒樋の端部を外側から嵌合させたときに、軒樋曲り継手の外側壁周面と軒樋の外周面とが面一となるようにした構成の軒樋曲り継手が提案されている（例えば特許文献１参照）。
【０００４】
【特許文献１】特開２００５−１４６７４３号公報
【発明の開示】
【発明が解決しようとする課題】
【０００５】
軒樋曲り継手に軒樋を接続する作業は、軒先コーナー部に軒樋曲り継手を取り付けた状態で、軒樋曲り継手の側端に軒樋端部をあてがって行われ、前記図示した軒樋曲り継手のように軒樋の端部が内嵌合する構成のものでは、簡易な作業で接続することができ、接続が確実になされているか否かの確認も簡単に行える。
しかし、軒樋との継ぎ目部分の周面が面一となる構成の軒樋曲り継手では、その端部に軒樋端部が外嵌合して接続するようになっており、家屋に面する軒樋曲り継手の奥側、つまり継手の内側壁と軒樋端部との接続状態を目視により確認することができないため、接続作業とその確認作業に手間を要するものであった。軒樋の取り付けは、作業用の足場が組まれていたとしても、高所の不安定な場所での作業であることに変わりはなく、作業者の安全上、短時間の作業で軒樋を継手に接続できることが望ましい。
【０００６】
本発明は従来技術の有するこのような問題点に鑑み、軒樋曲り継手に軒樋を見栄え良く、簡単且つ確実に接続することができ、現場施工による作業時間を大幅に短縮できるようにすることを課題とする。
【課題を解決するための手段】
【０００７】
前記課題を解決するため本発明の軒樋曲り継手は、平面視略Ｌ字状に屈曲した継手本体の両端に、段差部を介して軒樋周壁の肉厚幅分だけ内側へ凹んだ軒樋接続部を設け、この軒樋接続部に軒樋端部を接続したときに継手本体の外周面と軒樋の外周面とが面一となるように構成されており、継手本体の後側壁両端上部に軒樋の耳部を支持する軒耳係止部を設け、この軒耳係止部と軒樋接続部の後側壁との間に、軒樋周壁の肉厚幅と略等しい幅のスリット溝を形成するとともに、軒耳係止部の端部に軒樋接続部よりも側方へ突出した案内片を設けた構成を有することを特徴とする。
【０００８】
これによれば、軒樋曲り継手の軒樋接続部に軒樋の端部を外側から嵌合して接続した状態で軒樋曲り継手と軒樋の外周面が面一となるので、継ぎ目部分が目立たず、軒先コーナー部の外観をすっきりと綺麗なものに納めることができる。
軒樋曲り継手に軒樋を接続するには、軒樋の後側壁上部を案内片に当接させて軒樋の端部を軒樋接続部の端部にあてがい、そのままの軒樋を軒樋接続部側へ水平に押し入れれば、軒樋の耳部が軒耳係止部に係合しながら軒樋の後側壁がスリット溝に進入して軒樋の端部が軒樋接続部の外面に嵌り込み、簡易な作業によって短時間で確実に軒樋を曲り継手に接続することが可能である。
【発明を実施するための最良の形態】
【０００９】
本発明の好適な一実施形態を図面を参照して説明する。
図１は出隅に取り付けられる本発明の一実施形態の軒樋曲り継手とこれに接続する軒樋及び落ち葉除けカバーの構成展開外観図、図２は図１の軒樋曲り継手の上面図、図３は軒樋曲り継手に軒樋を接続した状態の外観図であり、図中、符号１は軒樋曲り継手、２は軒樋、３はカバー支持体、４は落ち葉除けカバー、５はビス形の留め具である。
【００１０】
先ず、本形態の軒樋曲り継手１に接続する軒樋２は、例えば表面を塩化ビニル樹脂で覆うなどの耐蝕加工が施された、或いは耐蝕性を有する長尺の鋼板を板金加工により長手方向に沿って屈曲させて、底壁２１の両側に前側壁２２と後側壁２３を立ち上げた略Ｕ字断面形状に形成されていて、前側壁２２の上端に鋭角に内側へ折り返した内折れ部２２ａ、後壁部２３の上端には後方へ張り出してコ字状に屈曲した耳部２３ａを設けた構成のものが用いられる。
【００１１】
軒樋曲り継手１は、図１及び図２に示されるように、平面視略Ｌ字状に屈曲した継手本体１１の両端に、軒樋２の端部が外嵌合して接続する軒樋接続部１２を一体に設けて形成してある。
【００１２】
より詳しくは、継手本体１１は、底壁１１ａの両側に前後側壁１１ｂ、１１ｃを立ち上げてなり、その両端は軒樋２と略同じ断面形状に設けてある。
軒樋接続部１２は、継手本体１１の端部から、段差部１３を介して軒樋２の周壁の肉厚幅分だけ内側へ凹ませて底壁部１２ａと前後側壁１２ｂ、１２ｃとを突出させた形状に設けてあり、軒樋２が軒樋接続部１２に接続すると、軒樋２の端部が段差部１３に当接して継手本体１１の外周面と軒樋２の外周面が面一に納まるようになっている。
【００１３】
継手本体１１の後壁部１１ｃの上端には軒樋２の耳部２３ａを支持する軒耳部係止部１１ｄが設けてあり、この軒耳係止部１１ｄと軒樋接続部１２の後壁部１２ｃの間には、軒樋２の周壁の肉厚幅と略等しい幅のスリット溝１４を形成してある。また、軒耳係止部１１ｄの端部には、軒樋接続部１２の端部よりも側方へ適宜な長さ突出した案内片１５を連ねてある。
【００１４】
さらに、両軒樋接続部１２、１２の前後側壁１２ｂ、１２ｃの上部間には、上面に上下に連通した筒状の支持部１６ａが形成された支持板１６が一体に架け渡してあり、前記支持部１６ａにカバー支持体３の脚部３１を嵌入させてカバー支持体３を固定し、その支持片３２の上面に落ち葉除けカバー４を載せて当該カバーの通水孔４１を通した留め具５を支持片３２の長孔３２ａに係入させることにより、軒樋曲り継手３の上面に落ち葉除けカバー４を傾斜状態で固定できるように設けてある。
【００１５】
このように形成された本形態の軒樋曲り継手１によれば、軒樋２の後壁部２３の上部を案内片１５に当接させて軒樋２の端部を軒樋接続部１２の端部にあてがい、そのままの軒樋２を軒樋接続部１２側へ水平に押し入れれば、軒樋２の耳部２３ａが軒耳係止部１１ｄに係合しながら後側壁２３がスリット溝１４に進入して軒樋２の端部が軒樋接続部１２の外面に嵌り込み、図３に示されるように、軒樋２の前側壁２２上端の内折れ部２２ａと後壁部２３上端の耳部２３ａが軒樋接続部１２の前側壁１２ａの上端と樋耳係止部１１ｄにそれぞれ係合し、軒樋接続部１２の底壁部１２ａと前後側壁１２ｂ、１２ｃが軒樋２の底壁２１と前後側壁２２、２３に内嵌合して、軒樋２が軒樋接続部１２に一体に接続することができる。
【００１６】
従って、予め軒樋接続部１２の外面又は軒樋２の端部内面に接着剤を塗布しておき、軒樋２を軒樋曲り継手１の案内片１５に当接させつつ軒樋接続部１２側へ、軒樋２の端部が段差部１３に当たる位置まで水平に押し込む操作をするだけで、軒樋２を軒樋曲り継手３外面の所定の接続位置に確実に嵌め込んで接続することができ、軒樋２の接続作業が極めて簡便で短時間で行うことが可能である。軒樋２を押し込みさえすれば、確実に軒樋接続部１２に接続するので、作業後、接続が確実になされているか否かの確認も短時間で済み、施工現場での作業時間を大幅に短縮することが可能である。
【００１７】
なお、軒樋曲り継手１の形態は、図示した屋根の出隅部に配置される外曲り継手に限定されず、屋根の入隅部に取り付けられる内曲り継手にも適用可能である。また、接続部の形状は、接続する軒樋の形状などに応じて適宜な形状に形成することが可能である。
【図面の簡単な説明】
【００１８】
【図１】本発明の一実施形態の軒樋曲り継手とこれに接続する軒樋及び落ち葉除けカバーの構成展開外観図である。
【図２】図１の軒樋曲り継手の上面図である。
【図３】軒樋曲り継手に軒樋を接続した状態の外観図である。
【図４】従来の軒樋曲り継手に軒樋を接続した状態の外観図である。
【符号の説明】
【００１９】
１  軒樋曲り継手、１１  継手本体、１２  軒樋接続部、１３  段差部、１４  スリット溝、１５  案内片、１６  支持板、１６ａ  支持部、２  軒樋、２１  底壁、２２  前側壁、２３  後側壁、２３ａ  耳部、３  カバー支持体、４  落ち葉除けカバー、５  留め具
【図１】
2008179964.tif 000003
【図２】
2008179964.tif 000004
【図３】
2008179964.tif 000005
【図４】
2008179964.tif 000006